(57)【特許請求の範囲】
【請求項１】
天板と、この天板を支持する脚体とから成り、前記天板における外側面のうち前記脚体の部分に、切り込み部を設け、この切り込み部内に、これを塞ぐようにしたカバー体を着脱自在に装着して成る事務用机において、
前記天板における切り込み部の内面と、これに装着したカバー体との間に、適宜寸法の隙間を、切り込み部の内面全体にわたって延びるように設け、
前記脚体の上端から立設する支柱状部材は、前記カバー体と前記きり込み部との間の隙間を通して前記天板より上方に突出するように構成されていることを特徴とする机の構造。
【請求項２】
断面Ｌ字型の前記支柱状部材は、前記脚体の上端に取付けられた連結体に締結され、
前記支柱状部材の断面の一部が、前記切込み部の内面と前記カバー体との間の隙間に挿入されていることを特徴とする請求項１に記載の机の構造。
【発明の詳細な説明】
【０００１】
【発明の属する技術分野】
本発明は、筆記又はコンピュータ操作等のような各種のデスクワークを行う事務等に使用される机の構造に関するものである。
【０００２】
【従来の技術と発明が解決しようとする課題】
一般に、この種の机のうちの一つに、前記天板における外側面のうち脚体の部分に、切り込み部を設け、この切り込み部内に、これを塞ぐようにしたカバー体を着脱自在に構成したものがある。
【０００３】
この形式の机は、天板における上面に何物も設けることなくその上面の全体を広い平面として使用する場合と、前記カバー体を取り外し、切り込み部の箇所に、脚体から支柱状等の部材を立設して、この部材によって、照明器具、上棚又はオーバヘッドキャビネット等を支持したり、隣り又は後方に並べた机との間に間仕切りにしたりする場合とに随時変更できるように構成したものである。しかし、従来においては、前記切り込み部に対するカバー体として、前記切り込み部に部材を立設するときに合わせて形成したカバー体と、前記切り込み部に部材を立設しないときに合わせて形成したカバー体との二つを用意しなければならないという問題があった。
【０００４】
しかも、従来は、切り込み部に対するカバー体を、切り込み部の内面に密着する構成にしているから、天板の上面と、カバー体の上面との間に、製作時の寸法誤差のために段差が存在すると、この段差が目立つことになるばかりか、製作時の寸法誤差のために、カバー体を切り込み部に対して装着できなくなる事態が発生するという問題もあった。
【０００５】
本発明は、これらの問題を解消することを技術的課題とするものである。
【０００６】
【課題を解決するための手段】
この技術的課題を達成するため、請求項１に記載の発明の机の構造は、天板と、この天板を支持する脚体とから成り、前記天板における外側面のうち前記脚体の部分に、切り込み部を設け、この切り込み部内に、これを塞ぐようにしたカバー体を着脱自在に装着して成る事務用机において、前記天板における切り込み部の内面と、これに装着したカバー体との間に、適宜寸法の隙間を、切り込み部の内面全体にわたって延びるように設け、
前記脚体の上端から立設する支柱状部材は、前記カバー体と前記きり込み部との間の隙間を通して前記天板より上方に突出するように構成されているものである。
【０００７】
請求項２に記載の発明は、請求項１に記載の机の構造において、断面Ｌ字型の前記支柱状部材は、前記脚体の上端に取付けられた連結体に締結され、前記支柱状部材の断面の一部が、前記切込み部の内面と前記カバー体との間の隙間に挿入されているものである。
【０００８】
【発明の作用・効果】
このように、請求項１に記載の発明によれば、天板における切り込み部の内面と、これに装着したカバー体との間に、適宜寸法の隙間を、切り込み部の内面全体にわたって延びるように設けることにより、照明器具又はオーバヘッドキャビネット或いは間仕切り等を支持する支柱状部材、又は間仕切りを、前記隙間を通して脚体から立設することができるから、前記切り込み部に対するカバー体を、照明器具等を支持する支柱状部材、又は間仕切りを立設する場合と、立設しない場合との両方について同じ部品にすることができる。
【０００９】
しかも、前記した隙間を設けたことにより、天板の上面と、カバー体の上面との間に、製作時の寸法誤差のために段差が存在する場合に、前記隙間によって、この段差を目立たなくすることができ、更に、製作時の寸法誤差のために前記カバー体を切り込み部に対して装着できなくなる事態が発生することを、前記隙間の存在によって回避できるすることができる。
【００１０】
【発明の実施の形態】
以下、本発明の実施の形態を、図１〜図１２の図面について説明する。
【００１１】
この図において、符号１は、天板を、符号２は、前記天板１の左右両端を支持する脚体を、符号４は、前記両脚体２の相互間を互いに連結する横長のステー部材を、符号５は、前記天板の後面に沿って延びるように配設する配線受け樋を各々示す。
【００１２】
前記両脚体２は、床面上を机に対して前後方向に延びる下アーム部材６と、この下アーム部材６の上面から立設する金属板製中空状の脚柱７と、同じく前記下アーム部材６の上面から前記脚柱７の後面に沿って立設する金属板製中空状の補助脚柱８とによって構成されている。
【００１３】
この場合において、前記補助脚柱８の断面形状は、略正方形であるが、前記脚柱７の断面形状は、図４に示すように、その外側面板７ａを机の前後方向に略真っ直ぐな平面に、その内側面板７ｂを後方に向かって湾曲しながら内向きに傾斜した湾曲傾斜面にするというように一つの湾曲辺と二つの直線辺とを有する略三角形に形成されている。また、これら各脚柱７，８は、前記下アーム部材６の上面に対してボルト９，１０の締結にて着脱自在に連結されている。
【００１４】
次に、符号１１は、前記両脚体２の上端の各々配設した連結体を示し、この連結体１１は、平面視において略矩形に形成され、その一つの角部における下面には、前記補助脚柱８の上端内部に嵌まった状態で、補助脚柱８に対してボルト１３の締結にて着脱自在に取付けられる補助脚取付け部１２が一体的に設けられている。
【００１５】
また、前記連結体１１の各側面のうち前記補助脚取付け部１２を有する一つの角部を挟んで互いに直角をなす二つの側面には、前記脚柱７の上端内部に嵌まった状態で、脚柱７に対してボルト１５の締結にて着脱自在に取付けられる脚取付け部１４が一体的に設けられ、この両脚取付け部１４のうち一方の脚取付け部１４を、前記脚柱７の上端内部に嵌めるようにして取付ける一方、他方の脚取付け部１４に、前記配線受け樋５の一端部を、ボルト１５′の締結にて着脱自在に連結する。
【００１６】
更にまた、前記連結体１１の各側面のうち前記補助脚取付け部１２を有する一つの角部と対角をなす他の一つの角部に隣接して互いに直角をなす二つの側面には、前記横長のステー部材４の取付け部であるところの棒片１６を横向きに一体的に突出して、これに前記ステー部材４の一端を被嵌したのちボルト１７を締結することにより、ステー部材４を着脱自在に連結する。
【００１７】
前記両連結体１１の上面には、机の前後方向に延びる天板支持板１８を配設して、この天板支持板１８を、前記連結体１１に着脱自在に取付けて、この両天板支持板１８の上面に、前記天板１を載せるように構成する。
【００１８】
これに加えて、前記天板支持板１８には、天板１の下面に沿って前方に延びる上アーム部材１９を固着することにより、この上アーム部材１９によっても天板１を支持するように構成され、更に、前記天板１の下面に、前記ステー部材４の上面のうち複数箇所に設けた各受け片２１を前記天板１の下面に接当することにより、ステー部材４によっても天板１を支持するように構成する。
【００１９】
前記天板１における左右両外側面１ａのうち前記脚柱７及び補助脚柱８に該当する部分には、これらを露出するようにした切り込み部１ｂを設けて、この切り込み部１ｂには、当該切り込み部１ｂ内のうち前記脚柱７の上端における連結体１１及び天板支持板１８を覆い隠すようにしたカバー体２２と、前記補助脚柱８の上端における連結体１１を覆い隠すようにした補助カバー体２３とを着脱自在に装着する。なお、これらカバー体２２，２３は、いずれも、図示していないが、装着した状態で、脚体２側に対して着脱自在に係合するように構成されており、且つ、これらカバー体２２，２３の外側面は、例えば、天板１の外側面１ａと略同一平面とするように、少なくとも、天板１の外側面１ａより突出しないように構成されている。
【００２０】
この場合において、前記カバー体２２を、前記天板１の切り込み部１ｂにおける内面との間に適宜寸法Ｓ（例えば、３〜６ｍｍ程度）の隙間を形成するように構成する。
【００２１】
そして、前記天板１の上方に、図１及び図３に二点鎖線で示すように、オーバヘッドキャビネット２０を配設する場合において、このオーバヘッドキャビネット２０の両端を支持する支柱状部材２４を、前記脚体２の上端に取付けた連結体１１又は天板支持板１８の上面から立設するに際して、この支柱状部材２４を、図９〜図１１に示すように、金属板にて断面Ｌ字型にして、この断面の一部を、前記切り込み部１ｂの内面と、前記カバー体２２との間における適宜寸法Ｓの隙間に挿入するように構成する。
【００２２】
なお、前記支柱状部材２４の下端は、前記連結体１１に対して複数本のボルト２５にて締結されており、また、この支柱状部材２４における内部のうち天板１より上方の部分は、図１２に示すように、カバー２６を着脱自在に取付けることによって中空状にして、その内部に配線等を通すように構成されている。
【００２３】
この場合において、前記支柱状部材２４を利用して、これに照明器具又は上棚板を取付けたり、或いは、隣り又は後方に並べた机との間に間仕切りを取付けたりすることができる。
【００２４】
また、本発明における別の実施の形態においては、図１３に示すように、隣の机との間の間仕切り部材２７を、前記切り込み部１ｂの内面と前記カバー体２２との間における適宜寸法Ｓの隙間内に挿入するように取付けることができる。
【００２５】
このように、天板１における切り込み部１ｂの内面と、これに装着したカバー体２２との間に、適宜寸法Ｓの隙間を、切り込み部１ｂの内面全体にわたって延びるように設けることにより、照明器具又はオーバヘッドキャビネット或いは間仕切り等を支持する支柱状部材２４、又は間仕切り２７を、前記隙間を通して脚体２から立設することができるから、前記切り込み部１ｂに対するカバー体２２を、照明器具等を支持する支柱状部材２４、又は間仕切り２７を立設する場合と、立設しない場合との両方について同じ部品にすることができるのである。
【００２６】
なお、前記切り込み部１ｂの形状は、前記図示したように、脚体２の断面と同じように略三角形にすることに限らず、脚体２の断面形状に合わせて、長方形状又は正方形にしても良く、或いは、脚体２の断面形状に相違する形状にしても良いことはいうまでもない。
【図面の簡単な説明】
【図１】  本発明の実施の形態による机を示す正面図である。
【図２】  図１の平面図である。
【図３】  図１の左側面図である。
【図４】  図３のIV−IV視拡大断面図である。
【図５】  図１において天板を除いた状態を示す平面図である。
【図６】  図５のVI−VI視拡大断面図である。
【図７】  図６のVII −VII 視断面図である。
【図８】  要部の分解斜視図である。
【図９】  天板から支柱状の部材を立設した場合を示す斜視図である。
【図１０】  支柱状の部材を立設した場合に天板を除いた状態を示す平面図である。
【図１１】  図１０のXI−XI視断面図である。
【図１２】  図１１のXII −XII 視拡大断面図である。
【図１３】  天板から間仕切りを立設した場合を示す斜視図である。
【符号の説明】
１              天板
１ａ            天板の外側面
１ｂ            切り込み部
２              脚体
４              横長のステー部材
５              配線受け樋
７              脚柱
８              補助脚柱
１１            連結体
１４            脚取付け部
１６            ステー部材に対する取付け部
１８            天板支持板
２２            カバー体
２４            支柱状部材
２０            オーバヘッドキャビネット
２７            間仕切り
【図１】
0003673695.tif 000002
【図２】
0003673695.tif 000003
【図３】
0003673695.tif 000004
【図４】
0003673695.tif 000005
【図５】
0003673695.tif 000006
【図６】
0003673695.tif 000007
【図７】
0003673695.tif 000008
【図８】
0003673695.tif 000009
【図９】
0003673695.tif 000010
【図１０】
0003673695.tif 000011
【図１１】
0003673695.tif 000012
【図１２】
0003673695.tif 000013
【図１３】
0003673695.tif 000014